(57)【要約】【課題】電圧調整継電装置の表示の確認及び入力する煩雑さを無くし、また限られた設置面積での設置を可能とする。【解決手段】複数のバンクに対応させて設けられた電圧調整継電器と、情報経路選択装置と、特定の電圧調整継電器に入力情報を入力させるためにバンク指定情報及び電圧調整継電器入力情報を出力する入力装置と、この情報を表示する表示装置とを備える。変圧器情報を電圧調整継電器に入力し、電圧調整継電器と情報経路選択装置とを通信線で接続する。情報経路選択装置は入力装置からのバンク指定情報及び電圧調整継電器入力情報が入力されると、バンク指定情報に基づいた電圧調整継電器のみに電圧調整継電器入力情報が入力され、電圧調整継電器に記憶された全バンクの変圧器情報及び電圧調整継電器入力情報が読み出され、読み出された変圧器情報及び電圧調整継電器入力情報を表示装置に出力させる。【選択図】図１
2009247144.tif 000002
【特許請求の範囲】
【請求項１】
変電所内の複数のバンクにそれぞれ設けられた負荷時タップ切換変圧器の変圧器情報が入力されて負荷時タップ切換変圧器に所定のタップ切換指令を出力する電圧調整継電装置であって、
前記複数のバンクに対応させて設けられた電圧調整継電器と、１つの情報経路選択装置と、前記電圧調整継電器のうち特定の電圧調整継電器に整定値、設定値等の入力情報を入力させるためにバンク指定情報及び電圧調整継電器入力情報を出力する１つの入力装置と、前記複数のバンクに対応させて設けられた表示部を有して変圧器情報及び電圧調整継電器入力情報をそれぞれ表示する１つの表示装置とを備え、
前記変圧器情報が電圧調整継電器にそれぞれ入力され、
前記電圧調整継電器と情報経路選択装置とが通信線でそれぞれ接続され、
前記情報経路選択装置は、
前記入力装置からのバンク指定情報及び電圧調整継電器入力情報が入力されると、前記バンク指定情報に基づいた電圧調整継電器のみに電圧調整継電器入力情報が入力され、
前記電圧調整継電器に記憶された全バンクの変圧器情報及び電圧調整継電器入力情報が読み出され、読み出された変圧器情報及び電圧調整継電器入力情報が表示装置に出力される電圧調整継電装置。
【請求項２】
変電所内の複数のバンクにそれぞれ設けられた負荷時タップ切換変圧器の変圧器情報が入力されて負荷時タップ切換変圧器に所定のタップ切換指令を出力する電圧調整継電装置であって、
前記複数のバンクに対応させて設けられた電圧調整継電器と、１つの情報経路選択装置と、前記電圧調整継電器のうち特定の電圧調整継電器に整定値、設定値等の入力情報を入力させるためにバンク指定情報及び電圧調整継電器入力情報を出力する１つの入力装置と、前記複数のバンクに対応させて設けられた表示部を有して変圧器情報及び電圧調整継電器入力情報をそれぞれ表示する１つの表示装置とを備え、
前記変圧器情報が電圧調整継電器にそれぞれ入力され、
前記電圧調整継電器と情報経路選択装置とが通信線でそれぞれ接続され、
前記電圧調整継電器は継電処理部と継電通信処理部とを備え、
前記情報経路選択装置は情報経路選択処理部と情報経路通信処理部とを備え、
前記継電処理部、継電通信処理部、情報経路選択処理部及び情報経路通信処理部は継電処理、継電通信処理、情報経路選択処理及び情報経路通信処理をそれぞれ機能させるＣＰＵで構成され、
前記入力装置からのバンク指定情報及びバンク指定情報に対応する電圧調整継電器入力情報が情報経路選択装置に入力されると、前記電圧調整継電器入力情報が変調され、変調された電圧調整継電器入力情報が選択された特定の情報経路を経由してバンク指定情報に対応する通信線を介してバンク指定情報に対応する電圧調整継電器に送信され、
前記変調された電圧調整継電器入力情報が受信されると共に、電圧調整継電器に記憶され、
前記電圧調整継電器に入力された変圧器情報が変調されると共に、変調された変圧器情報が電圧調整継電器に記憶され、記憶された電圧調整継電器入力情報及び変圧器情報が情報経路選択装置からの要求に対して電圧調整継電器から通信線を介して情報経路選択装置に送信され、
前記変調された変圧器情報及び電圧調整継電器入力情報を情報経路選択装置で受信して情報経路選択装置に記憶され、記憶された電圧調整継電器入力情報及び変圧器情報が全て選択された情報経路を経由して復調され、復調された電圧調整継電器入力情報及び変圧器情報が表示装置に出力される電圧調整継電装置。
【発明の詳細な説明】
【技術分野】
【０００１】
本発明は、変電所内の複数のバンクにそれぞれ設けられた負荷時タップ切換変圧器の変圧器情報が入力されて負荷時タップ切換変圧器に所定のタップ切換指令を出力する電圧調整継電装置に関するものである。
【背景技術】
【０００２】
変電所内には、大型の負荷時タップ切換変圧器と、こ
のタップ切換変圧器に接続されている配電線の電圧が所定範囲内となるように、変圧器の二次側電圧が入力されて、タップ切換変圧器に所定のタップ切換指令出力する電圧調整継電器とが設けられている。
【０００３】
例えば特許文献１に示される電圧調整継電器では、線路電圧降下補償器付きの電圧調整継電器であり、負荷時タップ切換変圧器
の二次側電圧及び二次側電流が入力される。
【０００４】
一方、変電所内には、バンクが通常、図２に示すように、複数あり、各バンク１Ａ，１Ｂ，１Ｃには、負荷時タップ切換変圧器１A1，１B1，１C1と、負荷時タップ切換変圧器１A1，１B1，１C1の二次側に繋がっている母線１A2，１B2，１C2と、この母線から負荷時タップ切換変圧器
の二次側電圧、二次側電流の変圧器情報を計測する計測器１A3，１B3，１C3とが設けられている。変電所内にはまた、特許文献１に示される電圧調整継電器８A1，８B1，８C1と、電圧調整継電器８A1，８B1，８C1に所定の整定値、設定値等を入力する入力装置８A2，８B2，８C2と、負荷時タップ切換変圧器
の二次側電圧及び二次側電流を表示する表示装置８A3，８B3，８C3とからなり、これらが大型盤に組み込まれて構成される電圧調整継電装置８Ａ，８Ｂ，８Ｃが、各バンクに対応して所定の配置状態で設けられている。
【特許文献１】特開平２−２１７９０５号公報
【発明の開示】
【発明が解決しようとする課題】
【０００５】
従来では、各バンクに対応させて電圧調整継電装置が設けられているために、電圧調整継電装置毎に表示の確認及び入力が必要であるという煩雑さが問題となる。
【０００６】
また、ユーザーからは変電所内の限られた設置面積での設置対応が求められており、電圧調整継電装置が上記のような構成では所定の限られた設置面積では設置出来ない問題がある。
【０００７】
本発明の目的は、表示の確認及び入力する煩雑さを無くし、また限られた設置面積での設置を可能とする電圧調整継電装置を提供することにある。
【課題を解決するための手段】
【０００８】
本発明は、変電所内の複数のバンクにそれぞれ設けられた負荷時タップ切換変圧器の変圧器情報が入力されて負荷時タップ切換変圧器に所定のタップ切換指令を出力する電圧調整継電装置に係わるものである。
【０００９】
本発明は、変電所内の複数のバンクにそれぞれ設けられた負荷時タップ切換変圧器の変圧器情報が入力されて負荷時タップ切換変圧器に所定のタップ切換指令を出力する電圧調整継電装置を対象とする。
【００１０】
第１の発明は、複数のバンクに対応させて設けられた電圧調整継電器と、１つの情報経路選択装置と、電圧調整継電器のうち特定の電圧調整継電器に整定値、設定値等の入力情報を入力させるためにバンク指定情報及び電圧調整継電器入力情報を出力する１つの入力装置と、複数のバンクに対応させて設けられた表示部を有して変圧器情報及び電圧調整継電器入力情報をそれぞれ表示する１つの表示装置とを備え、変圧器情報が電圧調整継電器にそれぞれ入力され、電圧調整継電器と情報経路選択装置とが通信線でそれぞれ接続され、情報経路選択装置は、入力装置からのバンク指定情報及び電圧調整継電器入力情報が入力されると、バンク指定情報に基づいた電圧調整継電器のみに電圧調整継電器入力情報が入力され、電圧調整継電器に記憶された全バンクの変圧器情報及び電圧調整継電器入力情報が読み出され、読み出された変圧器情報及び電圧調整継電器入力情報が表示装置に入力されるものである。
【００１１】
第２の発明は、複数のバンクに対応させて設けられた電圧調整継電器と、１つの情報経路選択装置と、電圧調整継電器のうち特定の電圧調整継電器に整定値、設定値等の入力情報を入力させるためにバンク指定情報及び電圧調整継電器入力情報を出力する１つの入力装置と、複数のバンクに対応させて設けられた表示部を有して変圧器情報及び電圧調整継電器入力情報をそれぞれ表示する１つの表示装置とを備え、変圧器情報が電圧調整継電器にそれぞれ入力され、電圧調整継電器と情報経路選択装置とが通信線でそれぞれ接続され、電圧調整継電器は継電処理部と継電通信処理部とを備え、情報経路選択装置は情報経路選択処理部と情報経路通信処理部とを備え、継電処理部、継電通信処理部、情報経路選択処理部及び情報経路通信処理部は継電処理、継電通信処理、情報経路選択処理及び情報経路通信処理をそれぞれ機能させるＣＰＵで構成され、入力装置からのバンク指定情報及びバンク指定情報に対応する電圧調整継電器入力情報が情報経路選択装置に入力されると、電圧調整継電器入力情報が変調され、変調された電圧調整継電器入力情報が選択された特定の情報経路を経由してバンク指定情報に対応する通信線を介してバンク指定情報に対応する電圧調整継電器に送信され、変調された電圧調整継電器入力情報が受信されると共に、電圧調整継電器に記憶され、電圧調整継電器に入力された変圧器情報が変調されると共に、変調された変圧器情報が電圧調整継電器に記憶され、記憶された電圧調整継電器入力情報及び変圧器情報が情報経路選択装置からの要求に対して電圧調整継電器から通信線を介して情報経路選択装置に送信され、変調された変圧器情報及び電圧調整継電器入力情報を情報経路選択装置で受信して情報経路選択装置に記憶され、記憶された電圧調整継電器入力情報及び変圧器情報が全て選択された情報経路を経由して復調され、復調された電圧調整継電器入力情報及び変圧器情報が表示装置に入力されるものである。
【発明の効果】
【００１２】
以上のように、第１の発明によれば、バンクに対応させて設けた電圧調整継電器以外の構成を１つの構成で共用化したので、電圧調整継電装置の表示の確認及び入力する煩雑さを無くすことが出来、また変電所内の限られた設置面積に対応させて設置させることが出来る。さらにコストを低減させることが出来る。
【００１３】
第２の発明によれば、情報経路選択装置の各処理部をＣＰＵで構成したので、バンクを増設する場合、情報経路選択装置のみを変更させるだけで容易に対応させることが出来る。
【発明を実施するための最良の形態】
【００１４】
図１は本発明の一実施形態に係る電圧調整継電装置を示すブロック図である。
【００１５】
電圧調整継電装置は１つで構成され、変電所内に設けられており、変電所内にはまた、複数のバンク１Ａ，１Ｂ，１Ｃにそれぞれ設けられた負荷時タップ切換変圧器１A1，１B1，１C1と、負荷時タップ切換変圧器１A1，１B1，１C1の二次側に繋がっている母線１A2，１B2，１C2と、各母線から負荷時タップ切換変圧器１A1，１B1，１C1
の二次側電圧、二次側電流の変圧器情報を計測する計測器１A3，１B3，１C3とがそれぞれ設けられている。
【００１６】
電圧調整継電装置は、複数のバンク１Ａ，１Ｂ，１Ｃに対応させて設けられた電圧調整継電器２Ａ，２Ｂ，２Ｃと、１つの情報経路選択装置３と、電圧調整継電器２Ａ，２Ｂ，２Ｃのうち特定の電圧調整継電器に整定値、設定値等の入力情報を入力させるためにバンク指定情報及び電圧調整継電器入力情報を出力する１つの入力装置４と、複数のバンク１Ａ，１Ｂ，１Ｃに対応させた表示部を有して変圧器情報及び電圧調整継電器入力情報をそれぞれ表示する１つの表示装置５とかなる電圧調整継電装置が設けられている。
【００１７】
電圧調整継電器２Ａ，２Ｂ，２Ｃと情報経路選択装置３とが通信線６Ａ，６Ｂ，６Ｃでそれぞれ接続されている。
【００１８】
電圧調整継電器２Ａ，２Ｂ，２Ｃは計測器１A3，１B3，１C3からの変圧器情報が入力される。また電圧調整継電器２Ａ，２Ｂ，２Ｃに記憶されている変圧器情報及び電圧調整継電器入力情報を情報経路選択装置３に送る。さらに情報経路選択装置３から送られてきた電圧調整継電器入力情報が記憶され、変圧器情報を元に所定のタップ切換指令を変圧器１０に出力する。
【００１９】
情報経路選択装置３は電圧調整継電器２Ａ，２Ｂ，２Ｃから送られてきた各々の変圧器情報と電圧調整継電器入力情報を集約し、表示装置５へ送る。また入力装置４からの電圧調整継電器入力情報に対し、所定のバンクに電圧調整継電器入力情報を送る。
【００２０】
電圧調整継電器２Ａ，２Ｂ，２Ｃはそれぞれ継電処理部２A1，２B1，２C1と、継電通信処理部２A2，２B2，２C2とで構成されている。また、継電通信処理部２A2，２B2，２C2は情報変換処理部２A2a，２B2a，２C2aと、通信処理部２A2b，２B2b，２C2bとで構成されている。
【００２１】
情報経路選択装置３は通信経路選択処理部３１と、情報経路通信処理部３２とで構成されている。また、情報経路通信処理部３２は通信処理部３２Ａと、情報変換処理部３２Ｂとで構成されている。
【００２２】
入力装置４は第１の入力部４１と、第２の入力部４２で構成されている。
【００２３】
電圧調整継電器２Ａ，２Ｂ，２Ｃの継電処理部２A1，２B1，２C1と、情報変換処理部２A2a，２B2a，２C2aと、通信処理部２A2b，２B2b，２C2bと、情報経路選択装置３の通信経路選択処理部３１と、通信処理部３２Ａと、情報変換処理部３２Ｂは、それぞれ継電処理、情報変換処理、通信処理、通信経路選択処理を機能させるＣＰＵで構成されている。
【００２４】
情報変換処理部２A2a，２B2a，２C2aは、それぞれ対応する計測器１A3，１B3，１C3から出力される変圧器情報を通信用の情報に変調し、その変圧器情報は各々の電圧調整継電器２Ａ，２Ｂ，２Ｃで記憶される。また、継電処理部２A1，２B1，２C1から出力される所定のタップ切換指令情報を復調し、変圧器１A1，１B1，１C1にそれぞれ出力する。
【００２５】
継電処理部２A1，２B1，２C1は各々の電圧調整継電器２Ａ，２Ｂ，２Ｃで記憶されている変圧器情報と電圧調整継電入力情報を元に、所定のタップ切換指令を情報変換処理部２A2a，２B2a，２C2aに出力する。
【００２６】
通信処理部２A2b，２B2b，２C2bは、情報経路選択装置３から送られてくる電圧調整継電器入力情報を受信し、その電圧調整継電器入力情報は電圧調整継電器２Ａ，２Ｂ，２Ｃに記憶される。また情報経路選択装置３から送られてくる要求を受信し、その要求に対し、電圧調整継電器２Ａ，２Ｂ，２Ｃに記憶された変圧器情報及び電圧調整継電器入力情報を通信線６Ａ、６Ｂ，６Ｃを介して送信する。
【００２７】
情報経路選択装置３は、入力装置４からバンク指定情報及びバンク指定情報に対応する電圧調整継電器入力情報が送られてくると、情報変換処理部３２Ｂで通信用の情報に変調され、通信経路選択処理部３１で特定の通信経路を選択し、通信処理部３２Ａにてバンク指定情報に対応する通信線、例えば通信線６Ａを介してバンク指定情報に対応する電圧調整継電器２Ａに送信される。
【００２８】
また、通信処理部３１にて変圧器情報と電圧調整継電器入力情報を要求するための要求を通信線６Ａ，６Ｂ，６Ｃを介して全電圧調整継電器２Ａ，２Ｂ，２Ｃに送信する。その要求に対する全バンクに対応する変圧器情報と電圧調整継電器入力情報を通信線６Ａ，６Ｂ，６Ｃを介して受信し、その変圧器情報及び電圧調整継電器入力情報は全て情報経路選択装置３に一時記憶され、記憶された変圧器情報及び電圧調整継電器入力情報は通信経路選択処理部にて全て選択された通信経路を経由し、情報変換処理部にて表示用の情報に復調され、表示装置に出力される。
【００２９】
入力装置４は例えばテンキーで構成され、所定のバンク指定情報を入力する第１の入力部４１と、所定のバンク指定情報に対する電圧継電器入力情報を入力する第２の入力部４２とから成り、バンク指定情報及び電圧継電器入力情報を情報経路選択装置３へ出力する。
【００３０】
表示装置５は情報経路選択装置から出力された変圧器情報及び電圧調整継電器入力情報を表示させる。
【００３１】
このような構成において、入力装置４からのバンク指定情報及びバンク指定情報に対応する電圧調整継電器入力情報が情報経路選択装置３に入力されると、電圧調整継電器入力情報が変調され、変調された電圧調整継電器入力情報が選択された特定の情報経路を経由してバンク指定情報に対応する通信線、例えば通信線６Ａを介してバンク指定情報に対応する電圧調整継電器２Ａに送信され、変調された電圧調整継電器入力情報が受信されると共に、電圧調整継電器２Ａに記憶される。
【００３２】
また変圧器情報が電圧調整継電器２Ａ，２Ｂ，２Ｃに入力されると、電圧調整継電器に入力された変圧器情報が変調されると共に、変調された変圧器情報が電圧調整継電器２Ａ，２Ｂ，２Ｃに記憶され、記憶された電圧調整継電器入力情報及び変圧器情報が情報経路選択装置３からの要求に対して電圧調整継電器２Ａ，２Ｂ，２Ｃから通信線６Ａ，６Ｂ，６Ｃを介して情報経路選択装置３に送信され、変調された変圧器情報及び電圧調整継電器入力情報を情報経路選択装置３で受信して情報経路選択装置３に記憶され、記憶された電圧調整継電器入力情報及び変圧器情報が全て選択された情報経路を経由して復調され、復調された電圧調整継電器入力情報及び変圧器情報が表示装置５に入力され、表示装置５によって変圧器情報及び電圧調整継電器入力情報が表示される。
【００３３】
上記実施形態において、バンクを増設させる場合、情報経路選択装置の通信処理部、情報経路選択処理部及び情報変換処理部のプログラムを変更させれば良い。また、変圧器情報９０を負荷時タップ切換変圧器
の二次側電圧、二次側電流としたが、変圧器に関連する他の情報でも良い。
【図面の簡単な説明】
【００３４】
【図１】本発明の一実施形態に係る電圧調整継電装置を示すブロック図である。
【図２】従来の電圧調整継電装置を示すブロック図である。
【符号の説明】
【００３５】
１Ａ〜１Ｃ  バンク
１A1〜１C1  負荷時タップ切換変圧器
２Ａ〜２Ｃ  電圧調整継電器
２A1〜２C1  継電処理部
２A2〜２C2  継電通信処理部
３  情報経路選択装置
３１  情報経路選択処理部
３２  情報経路通信処理部
４  入力装置
５  表示装置
６Ａ〜６Ｃ  通信線
【図１】
2009247144.tif 000003
【図２】
2009247144.tif 000004